(57)【特許請求の範囲】
【請求項１】
光ケーブルの心線接続部を嵌挿するアダプタ１と、該心線接続部から延びる心線余長を収納する心線余長収納部２とを備えたケース本体３に蓋ケース４を開閉自在に設け、該ケース本体３内に導入されて前記心線接続部に至る光ケーブルを保持するケーブル把持具５及びフロアケーブル把持具６を具備したキャビネットにおいて、前記ケース本体３に取付けた棚９の支承片９２に係脱する係止爪３と、棚９のレール１４に凹溝１５によって摺動自在に嵌装する上部ブロック１１と、棚９の受板９１両側縁に係脱する爪片１６のある下部ブロック１２との二分割係止組合構成からなるブロック部材１０を備え、該上下部ブロック１１，１２間の突き合せ面に複数のアダプタ１を嵌装する凹部を形成する支片１８，１９，２０，２１をそれぞれ設けてアダプタ１を介在配備すると共に、前後両端に互い違いに上下部ブロック１１，１２を係脱する係止爪２２，２３と該係止爪挿入孔２４，２５とを備えたことを特徴とする光ケーブル接続部収納用キャビネットにおけるアダプタ装置。
【発明の詳細な説明】
【０００１】
【発明の属する技術分野】
本発明は、光ファイバ心線とテンションメンバとを有する光ケーブルの接続や分岐配線に用いる光ケーブル接続箱、詳しくは、ケース本体にテンションメンバを含む光ケーブルなどの各光ファイバケーブルを接続、分岐して止着状態に保持するようにしたユーザー系構内キャビネットなどの光ケーブル接続部収納用キャビネットに用いられるアダプタ装置に関する。
【０００２】
【従来の技術】
一般に、光ファイバ心線を有する光ケーブルの接続に際しては、光ファイバ心線の分岐・引込接続には接続作業の失敗を見越して心線に余裕を持たせた余長心線と接続部を含む心線の保護のために接続箱が必要とされている。このため従来では、心線接続後に接続部や心線余長を収納する収納トレイが多数使用され、かつケーブルを分岐してフロアケーブルとして各個所にドロップアウトする際にキャビネット内で心線を収納整理したり、或いは収納シートが用いられている。
【０００３】
【発明が解決しようとする課題】
しかしながら、従来の光ケーブル接続箱にあっては、特別なケースやカバー並びにシートを用いる心線接続処理部材が必要で組立部品も多く、カバー保持や任意の心線のハンドリングもやっかいであって、心線接続の安全性や、作業性の上でも問題であり、多数心線での各心線の取扱並びに整理構造が複雑化してコスト高となるほか、内部空間が小さいことから心線余長が収納しにくくケーブル接続の作業性が低いという問題があった。
本発明は、これら従来の諸欠点を排除しようとするもので、ケース本体内での心線取扱操作や心線接続の交換並びに増設が簡単にでき、各心線や保留心線の取り扱い容易であり、安全な接続処理作業が行えて、作業性を大巾に向上すると共に、余分な収納部材を不要とし、低コストの光ケーブル接続部収納用キャビネットにおけるアダプタ装置を提供することを目的としたものである。
【０００４】
【課題を解決するための手段】
本発明は、光ケーブルの心線接続部を嵌挿するアダプタ１と、該心線接続部から延びる心線余長を収納する心線余長収納部２とを備えたケース本体３に蓋ケース４を開閉自在に設け、該ケース本体３内に導入されて前記心線接続部に至る光ケーブルを保持するケーブル把持具５及びフロアケーブル把持具６を具備したキャビネットの前記ケース本体３に取付けた棚９の支承片９２に係脱する係止爪３と、棚９のレール１４に凹溝１５によって摺動自在に嵌装する上部ブロック１１と、棚９の受板９１両側縁に係脱する爪片１６のある下部ブロック１２との二分割係止組合構成からなるブロック部材１０を備え、該上下部ブロック１１，１２間の突き合せ面に複数のアダプタ１を嵌装する凹部を形成する支片１８，１９，２０，２１をそれぞれ設けてアダプタ１を介在配備すると共に、前後両端に互い違いに上下部ブロック１１，１２を係脱する係止爪２２，２３と該係止爪挿入孔２４，２５とを備えたものである。
【０００５】
【発明の実施の形態】
本発明の実施の形態の光ケーブル接続部収納用キャビネットは、ケース本体のケーブル把持金具にケーブルを把持してケーブルのテンションメンバを止着し、引き出された心線は内配線材料に接続し、分岐配線される心線は心線係止部を経てケース本体内に配索される。キャビネット内では、心線接続部が上部ブロックと下部ブロックとの係止組合構成からなるアダプタ装置を介して収納され、しかも、棚に摺動自在に係脱できケーブルなどの接続作業並びに点検修理作業がアダプタにより容易にでき、心線余長は収納トレイに収容して整理できるので心線接続の交換並びに増設が簡単にでき、心線余長の収容にも一目でわかる配線ができて識別性良好であると共に、心線のハンドリングも容易で取扱いも簡便であり、各心線接続部の収容保持も確実で、心線の固定化もワンタッチで可能で接続、分岐の作業を安全かつ容易にすることができケーブルの整理や心線接続部の安全な収納保護ができる。
【０００６】
【実施例】
以下、この発明の実施例を図１乃至図７を参照して説明すると、光ファイバケーブル接続部収納用キャビネット（以下、キャビネットと略称する。）は、光ケーブルの心線接続部Ａを嵌挿するアダプタ１と、該心線接続部Ａから延びる心線余長を収納する心線余長収納部２とを備えたケース本体３と、該ケース本体３に開閉自在に設けた蓋ケース４とから構成され、該ケース本体３内に導入されて前記心線接続部１に至る光ケーブルＣを保持する引込・引落ケーブル把持具５とフロアケーブル把持具６とを具備したものであって、前記ケース本体３に取付けた棚９の支承片９２に係脱する係止爪３と、棚９のレール１４に凹溝１５によって摺動自在に嵌装する上部ブロック１１と、棚９の受板９１両側縁に係脱する爪片１６のある下部ブロック１２との二分割係止組合構成からなるブロック部材１０を備え、該上下部ブロック１１，１２間の突き合せ面に複数のアダプタ１を嵌装する凹部を形成する支片１８，１９，２０，２１をそれぞれ設けてアダプタ１を介在配備すると共に、前後両端に互い違いに上下部ブロック１１，１２を係脱する係止爪２２，２３と該係止爪挿入孔２４，２５とを備えた構成とし、蓋体を開けてアダプタ装置の設定や心線の処理並びに余長ケーブルの取扱いも容易にできるようにしてある。
【０００７】
この場合、前記ブロック部材１０としては前記棚９に突設したレール１４に嵌合する凹溝１５を備えた上部ブロック１１と、棚両側縁に係合する爪片１６のある下部ブロック１２とを備えていて、該上下部ブロック１１，１２間の突き合せ面に複数のアダプタ１を嵌装する凹部を形成する支片１８，１９，２０，２１を対向して備えた二分割係止部材からなり、前後両端に互い違いに上下部ブロック１１，１２を係脱する係止爪２２，２３と該係止爪挿入孔２４，２５とを備えている。
【０００８】
また、前記棚９は、取付板８に上下方向に多段に突設した受板９１  と、該受板９１  ，９１  間に前記ブロック部材１０を受板９１  の長手方向に沿って嵌装案内する一対の支承片９２  と、レール１４とを受板９１  の先端両側下面と受板９１  の中央下面にそれぞれ備えたものからなっていて、前記ブロック部材１０を受板９１  上に挿脱自在に配備できるようにして安全性を保つことができるようにしてある。
【０００９】
前記ケーブル把持具５，６は、ケース本体３のケーブル配索孔にあるケーブルグロメット７に臨んで締付ネジ２６，２７で着脱自在に配備して光ケーブルのクランプ固定化を簡便化してある。
【００１０】
なお、前記棚９の下方に保留心線収納シート３０を嵌着できる取付ブラケット３１を設けてある。
また、前記心線余長収納部２の部品は観音開きの収納部品を両サイドに用いてあるが、接続モジュールをもセットできるし、心線結束具２８及び心線防護側面シート２９を適宜ケース本体３内に配備して心線の案内と保持とを確実にしてある。
【００１１】
このキャビネットは、樹脂の射出成形等により成形され、ケーブル導入用の配索孔が形成され、該ケーブル配索孔に防塵カバーを嵌装し、ここから光ファイバ心線とテンションメンバを有する複数の光ケーブルを導入し、ケーブル把持金具５でケース本体３に定着できるようにしてあり、光ケーブル接続用のプラグおよび／またはコネクタなどの心線接続部Ａのあるアダプタ１と心線余長収納部２を内装してある。
【００１２】
この実施の形態にかかる光ケーブル接続用収納ケースにあっては、分岐光ケーブルと引込光ケーブルの接続に際しては、先ず、キャビネットのケース本体３を建物の外壁面に取付孔３２を活用してビス等で固定し、分岐光ケーブルと引込光ケーブルをそれぞれ配索溝に、例えば、分岐光ケーブルを一方の配索孔に引込光ケーブルを他方の配索孔に通す。そして、各光ケーブルの余長は心線余長収納部２にまた保留心線は保留心線収納シート３０に入れて保持する。
【００１３】
そして、ケース本体３に蓋体４をかぶせて閉蓋状態を維持する。また開蓋時にはキーを差込んで回せば蓋体４が開放でき、ケース本体３から取り外すことができケース本体３内の配線作業が容易にできる。
【００１４】
また、心線は一端にフエルールを設けたテープを単心分離部で多数に分岐し、各単心線の他端にＳＣ簡易プラグまたはＭＰＯ簡易プラグのプラグを備えた既製の変換心線を用いてもよく、接続モジュール内配線材料も一端にＳＣコネクタまたはＭＰＯコネクタを設けた既製の心線を用いるのもよい。
さらに、各光ケーブルの光ファイバ心線はケーブル巻回・接続部に導いて、その余長部分を心線収納部品に巻き取って保持するので、配線処理作業が容易にでき、またアダプタ１に接続部を差し込むだけの簡単な操作で切替交換並びに増設ができるようにすることもできる。
【００１５】
コネクタの交換及び増設は、コードおよびコネクタを差し込むだけの簡単な作業でできるようにしてあって、しかも任意の心線のハンドリングも容易にできるようにしてあり、このキャビネットは心線余長や保留心線もＵリンクケーブルも収納処理でき、また開閉扉を開くことによって一目でわかる配線形態で識別性も著しく容易にできるようにしてある。
【００１６】
【発明の効果】
本発明は、光ケーブルの心線接続部を嵌装するアダプタと、該心線接続部から延びる心線余長を収納する心線余長収納部とを備えケース本体に蓋ケースを開閉自在に設け、該ケース本体内に導入されて前記心線接続部に至る光ケーブルを保持するケーブル把持金具を具備したキャビネットにおいて、前記ケース本体に取付けた棚の支承片に係脱する係止爪と、棚のレールに凹溝によって摺動自在に嵌装する上部ブロックと、棚の受板両側縁に係脱する爪片のある下部ブロックとの二分割係止組合構成からなるブロック部材を備え、該上下部ブロック間の突き合せ面に複数のアダプタを嵌装する凹部を形成する支片をそれぞれ設けてアダプタを介在配備すると共に、前後両端に互い違いに上下部ブロックを係脱する係止爪と該係止爪挿入孔とを備えたことにより、心線接続の交換並びに増設が簡単にでき、多数ある各心線の心線余長の収容も簡便化し、かつ一目でわかる配線ができて識別性良好で、しかもアダプタ装置が棚との係合関係で上下部ブロックの二分割係止組合構成となっているため心線固定並びに任意の心線のハンドリングが可能で取り扱い容易であり、アダプタの組み込み取り替えも簡便で安全な接続処理作業が行えて、作業性を大巾に向上すると共に、アダプタ装置の設定の簡素化を図ることができるし、余分な収納部材を不要とし、キャビネットの内部でのケーブル把持とコード配線の確実化でスペースを有効に用いられコンパクト化と作業性向上とが実現できるし、心線の切替操作も容易に作業でき、低コストで生産できるなど実用上の効果がある。
【図面の簡単な説明】
【図１】  本発明の実施例を示し、（ａ）はその蓋体を切欠して内部を示す正面図、（ｂ）は底面図である。
【図２】  図１の心線接続の棚部を拡大して示し、（ａ）はその正面図、（ｂ）はその側面図である。
【図３】  図２のアダプタブロックの使用状態の拡大正面図である。
【図４】  図３のアダプタブロックを示し、（ａ）はその正面図、（ｂ）は平面図、（ｃ）は側面図である。
【図５】  図４の例のアダプタブロックの分離状態を示し、（ａ）はその正面図、（ｂ）はその側面図である。
【図６】  図５の例の分離状態の平面図である。
【図７】  図５の例の分離状態の底面図である。
【符号の説明】
１        アダプタ
２        心線余長収納部
３        ケース本体
４        蓋ケース
５        ケーブル把持金具
６        フロアケーブル把持具
７        ケーブルグロメット
８        取付板
９        棚
９１      受板
９２      支承片
１０      ブロック部材
１１      上部ブロック
１２      下部ブロック
１３      係止爪
１４      レール
１５      凹溝
１６      爪片
１７      凹部
１８，１９，２０，２１  支片
２２，２３  係止爪
２４，２５  挿入孔
【図１】
0003845176.tif 000002
【図２】
0003845176.tif 000003
【図３】
0003845176.tif 000004
【図４】
0003845176.tif 000005
【図５】
0003845176.tif 000006
【図６】
0003845176.tif 000007
【図７】
0003845176.tif 000008